(57)【要約】      （修正有）【課題】両面スキャンデータの所望の頁に対する画像の補正指示を他の頁にも反映させて各頁の画像の向きを効率良く短時間に補正可能にする。【解決手段】読取部１１で両面原稿を両面スキャンして得た両面スキャンデータを記憶部１３に蓄積した後、画像方向補正処理部１６３は、該両面スキャンデータの少なくとも１つの頁のサムネイル画像と、該頁の画像を９０度あるいは１８０度回転することをそれぞれ指示する各回転指示ツールとを含む画面を表示し、該画面上で、利用者から、当該頁に対する９０°回転の指示を受付けると、全頁の画像データを９０°回転補正し、当該頁に対する１８０°回転の指示を受付けると、当該頁が奇数頁であれば全ての奇数頁の画像を、当該頁が偶数頁であれば全ての偶数頁の画像を、それぞれ、１８０°回転補正する。【選択図】図１
2011061691.tif 000002
【特許請求の範囲】
【請求項１】
原稿を両面読取走査して該原稿の両面の画像情報を読み取る画像読取手段と、
前記画像読取手段により読み取られた前記原稿の両面読取画像情報の少なくとも１つの頁の縮小画像と、該縮小画像が表示される頁に対する画像の回転を指示する回転指示部とを含む補正設定画面を表示する表示制御手段と、
前記表示制御手段により表示される前記回転指示部を用いた利用者による前記縮小画像が表示されている頁に対する画像の回転指示を受け付け、該回転指示を受け付けた頁の番号と指示された回転角度に応じて、前記両面読取画像情報中の該頁と当該頁に対応する複数の頁の画像情報を一括して回転補正する回転補正手段と
を具備する画像処理装置。
【請求項２】
前記表示制御手段は、
前記縮小情報が表示される前記頁に対する９０度または１８０度の回転をそれぞれ指示する前記回転指示部を表示し、
前記回転補正手段は、
前記９０度の回転を指示する回転指示部による回転指示を受け付けると、前記両面読取画像情報の全ての頁の画像の向きを９０度回転補正し、前記１８０度の回転を指示する回転指示部による回転指示を受け付けると、該回転指示対象の頁が奇数頁か偶数頁かに応じて、それぞれ、前記両面読取画像情報の奇数頁、偶数頁の画像の向きをそれぞれ１８０度回転補正する
請求項１記載の画像処理装置。
【請求項３】
前記表示制御手段は、
前記両面読取画像情報の奇数頁と偶数頁の前記縮小画像をそれぞれ生成して表示し、
前記回転補正手段は、
前記縮小画像が表示された前記奇数頁と偶数頁の各頁毎に該各頁に対する回転指示を受け付ける
請求項１または２記載の画像処理装置。
【請求項４】
コンピュータで実現され、原稿を両面読取走査して該原稿の両面の画像情報を読み取る画像読取手段を備える画像処理装置に実装され、
前記コンピュータを、
前記画像読取手段により読み取られた前記原稿の両面読取画像情報の少なくとも１つの頁の縮小画像と、該縮小画像が表示される頁に対する画像の回転を指示する回転指示部とを含む補正設定画面を表示する表示制御手段、
前記表示制御手段により表示される前記回転指示部を用いた利用者による前記縮小画像が表示されている頁に対する画像の回転指示を受け付け、該回転指示を受け付けた頁の番号と指示された回転角度に応じて、前記両面読取画像情報中の該頁と当該頁に対応する複数の頁の画像情報を一括して回転補正する回転補正手段
として機能させる画像処理プログラム。
【発明の詳細な説明】
【技術分野】
【０００１】
本発明は、画像処理装置、及び画像処理プログラムに関する。
【背景技術】
【０００２】
スキャナ装置や、複合機等の画像処理装置において、原稿（紙文書）を読取り走査（スキャン）し、該スキャンにより得た読取画像情報（スキャンデータ）を上記原稿の電子化データとして保持する処理機能を備えるものが知られている。
【０００３】
この種の画像処理装置では、両面原稿を両面スキャンする機能を備えて両面原稿の電子化に対応可能なものもあるが、両面原稿は綴じ方向によりスキャンの天地が合わないなど、適切なスキャン画像を得ることが難しい。
【０００４】
原稿の両面スキャン画像の向きを補正する技術に関し、下記特許文献１には、原稿をプレスキャンした結果を表示し、ユーザに各頁画像の回転方向を頁毎に指示させ、その後、本スキャンを実施する際、指示結果に基づいて読み取り方向の原稿の方向を回転させるスキャン装置及びその制御方法が開示されている。
【０００５】
また、下記特許文献２には、原稿をスキャンする際に、ＡＤＦ（自動用紙送り装置）上での原稿の設置の向きと原稿の綴じ方向をユーザに入力させ、スキャンを実施する際にそれらの情報を評価して、読み取った画像を情報を適切な方向に回転させる画像読み取り装置及びその制御方法が開示されている。
【先行技術文献】
【特許文献】
【０００６】
【特許文献１】特開２００１−０４５２３９号公報
【特許文献２】特開２００３−３３３３０９号公報
【発明の概要】
【発明が解決しようとする課題】
【０００７】
本発明は、両面スキャンデータの所望の頁に対する画像の補正指示を他の頁にも反映させて各頁の画像の向きを効率良く短時間に補正可能な画像処理装置、及び画像処理プログラムを提供することを目的とする。
【課題を解決するための手段】
【０００８】
上記目的を達成するために、請求項１記載の画像処理装置の発明は、原稿を両面読取走査して該原稿の両面の画像情報を読み取る画像読取手段と、前記画像読取手段により読み取られた前記原稿の両面読取画像情報の少なくとも１つの頁の縮小画像と、該縮小画像が表示される頁に対する画像の回転を指示する回転指示部とを含む補正設定画面を表示する表示制御手段と、前記表示制御手段により表示される前記回転指示部を用いた利用者による前記縮小画像が表示されている頁に対する画像の回転指示を受け付け、該回転指示を受け付けた頁の番号と指示された回転角度に応じて、前記両面読取画像情報中の該頁と当該頁に対応する複数の頁の画像情報を一括して回転補正する回転補正手段とを具備する。
【０００９】
請求項２記載の発明は、上記請求項１記載の発明において、前記表示制御手段は、前記縮小情報が表示される前記頁に対する９０度または１８０度の回転をそれぞれ指示する前記回転指示部を表示し、前記回転補正手段は、前記９０度の回転を指示する回転指示部による回転指示を受け付けると、前記両面読取画像情報の全ての頁の画像の向きを９０度回転補正し、前記１８０度の回転を指示する回転指示部による回転指示を受け付けると、該回転指示対象の頁が奇数頁か偶数頁かに応じて、それぞれ、前記両面読取画像情報の奇数頁、偶数頁の画像の向きをそれぞれ１８０度回転補正する。
【００１０】
請求項３記載の発明は、上記請求項１または２記載の発明において、前記表示制御手段は、前記両面読取画像情報の奇数頁と偶数頁の前記縮小画像をそれぞれ生成して表示し、前記回転補正手段は、前記縮小画像が表示された前記奇数頁と偶数頁の各頁毎に該各頁に対する回転指示を受け付ける。
【００１１】
請求項４記載の画像処理プログラムの発明は、コンピュータで実現され、原稿を両面読取走査して該原稿の両面の画像情報を読み取る画像読取手段を備える画像処理装置に実装され、前記コンピュータを、前記画像読取手段により読み取られた前記原稿の両面読取画像情報の少なくとも１つの頁の縮小画像と、該縮小画像が表示される頁に対する画像の回転を指示する回転指示部とを含む補正設定画面を表示する表示制御手段、前記表示制御手段により表示される前記回転指示部を用いた利用者による前記縮小画像が表示されている頁に対する画像の回転指示を受け付け、該回転指示を受け付けた頁の番号と指示された回転角度に応じて、前記両面読取画像情報中の該頁と当該頁に対応する複数の頁の画像情報を一括して回転補正する回転補正手段として機能させる。
【発明の効果】
【００１２】
請求項１記載の画像処理装置の発明によれば、サムネイル画像が表示された頁に対する回転指示を受付け、該頁のみならず当該頁に関連する頁も含めて効率良く短時間に画像の回転補正が行える。
【００１３】
請求項２記載の発明によれば、上記請求項１記載の発明において、サムネイル画像が表示された頁に対する９０度、あるいは１８０度の回転指示により、関連する他の頁まで９０度、あるいは１８０度の回転補正が行える。
【００１４】
請求項３記載の発明によれば、上記請求項１または２記載の発明において、各頁のサムネイル画像を順番に確認しなくても１画面内の操作だけで全ての頁の画像を回転補正できる。
【００１５】
請求項４記載の画像処理プログラムの発明によれば、画像処理装置に、サムネイル画像が表示された頁に対する回転指示を受付け、該頁のみならず当該頁に関連する頁の画像までも回転補正する処理を実行させることができる。
【図面の簡単な説明】
【００１６】
【図１】本実施の形態に係わる画像処理装置の機能構成を示すブロック図。
【図２】実施例１に係る画像処理装置の両面スキャン処理を示すフローチャート。
【図３】実施例１で用いる画像方向補正設定画面の表示例を示す図。
【図４】実施例１に係る図２のＳ１０５の詳細処理動作を示すフローチャート。
【図５】第１の両面スキャンデータとその補正内容の例を示す図。
【図６】実施例１に係る第１の両面スキャンデータの補正に用いる設定画面例を示す図。
【図７】図６の設定画面での補正指示に基づくデータ補正後の表示内容を示す図。
【図８】第２の両面スキャンデータとその補正内容の例を示す図。
【図９】実施例１に係る第２の両面スキャンデータの補正に用いる設定画面例を示す図。
【図１０】図９の設定画面での補正指示に基づくデータ補正後の表示内容を示す図。
【図１１】実施例２で用いる画像方向補正設定画面の表示例を示す図。
【図１２】実施例２に係る図２のＳ１０５の詳細処理動作を示すフローチャート。
【図１３】実施例２に係る第１の両面スキャンデータの補正に用いる設定画面例を示す図。
【図１４】図１３の設定画面での補正指示に基づくデータ補正後の表示内容を示す図。
【図１５】実施例２に係る第２の両面スキャンデータの補正に用いる設定画面例を示す図。
【図１６】図１５の設定画面での補正指示に基づくデータ補正後の表示内容を示す図。
【発明を実施するための形態】
【００１７】
以下、本発明の実施の形態について添付図面を参照して詳細に説明する。
【００１８】
図１は、本実施の形態に係わる画像処理装置１０の機能構成を示すブロック図である。
【００１９】
この画像処理装置１０は、例えば、原稿読取（スキャン）、複写（コピー）、印刷（プリント）、ＦＡＸ（ファクシミリ通信）等の複数の機能を有する複合機であり、原稿（紙文書）の画像を読取走査（スキャン）し、電気的な画像信号（画像データ）に変換する読取部１１、読取部１１により原稿をスキャンして得られた読取画像データ（スキャンデータ）や、クライアント端末（不図示）から送られてくる印刷ジョブから印刷データを生成するための画像処理を行う画像処理部１２、スキャンデータや動作プログラム等の各種情報を記憶する記憶部１３、画像処理部１２により生成された印刷データに基づき電子写真プロセスを実行して記録媒体（記録用紙）に該印刷データに対応する画像を形成する画像形成部１４、タッチパネル機能を有する大型ビットマップディスプレイ等から成る表示／操作部１５、スキャン、コピー、プリント及びＦＡＸ等の各機能に係わる該当各部の動作制御等、装置全体の制御を行なう制御部１６、クライアント端末（ＰＣ：パーソナル・コンピュータ）等の装置と通信ネットワーク（ＮＷ）を介して通信する際の通信インタフェースを司る通信インタフェース（Ｉ／Ｆ）部１７を備えて構成される。
【００２０】
画像処理装置１０において、読取部１１はシートフィーダ型スキャナであり、特に、ＤＡＤＦ（Ｄｕａｌ  Ａｕｔｏｍａｔｉｃ  Ｄｏｃｕｍｅｎｔ  Ｆｅｅｄｅｒ：自動両面紙送り装置）を用いて構成される。
【００２１】
ＤＡＤＦを備える読取部１１では、例えば、原稿セット位置にセットされた原稿を該原稿セット位置からプラテン上の所定の読取位置まで搬送して該原稿の一方の面（表面）の画像を読取走査した後、該原稿を更に搬送して反転させた後に再度上記読取位置まで送り返し、該原稿のもう一方の面（裏面）を両面スキャンすることが可能となる。
【００２２】
このような両面スキャンの対象とされる原稿としては、例えば、ポートレイト（縦長原稿）の短辺綴じや長辺綴じの原稿、ランドスケープ（横長原稿）の短辺綴じや長辺綴じの原稿の両面原稿（両面に画像が形成される）などが挙げられる。
【００２３】
読取部１１での原稿の両面スキャンに係る原稿の搬送、読取センサの駆動等の読取制御は、制御部１６に設けられる読取制御部１６２によって行われる。
【００２４】
なお、本実施の形態に係る画像処理装置１０では、読取り対象の両面原稿として、例えば、ポートレイトの短辺あるいは長辺綴じ、ランドスケープの短辺あるいは長辺綴じ等の綴じ方で製本形態に綴じられる文書の見開き頁を両面原稿として両面スキャンする機能構成を実装したものであっても良い。
【００２５】
この場合、読取制御部１６２は、利用者が、上記文書の所望の見開き頁を開いてプラテン上にセットし（押し当て）、表示／操作部１５から両面スキャン開始操作を行う度に、当該見開き頁の両面スキャンを実施し、各見開き頁のスキャンデータを２頁分の両面スキャンデータとして蓄積する読取制御機能を備える必要がある。
【００２６】
画像処理装置１０の制御部１６には、上述した読取制御部１６２の他、印刷制御部１６１、画像方向補正処理部１６３が設けられる。
【００２７】
印刷制御部１６１は、読取部１１により原稿をスキャンして得られるスキャンデータ（あるいは、クライアント端末から通信Ｉ／Ｆ部１７を通じて受信される印刷ジョブ）に基づいて画像処理部１２で印刷データを生成させ、画像形成部１４で該印刷データに基づく画像を記録用紙に形成（印刷）して出力させる印刷制御を行う。
【００２８】
画像方向補正処理部１６３は、読取制御部１６２の読取制御により得られる原稿の両面スキャンデータに対する画像回転等の画像編集処理を実施する。
【００２９】
特に、本実施の形態によれば、画像方向補正処理部１６３は、利用者からＵＩ画面（図３に示す設定画面５０ａ、図１１に示す設定画面５０ｂ参照）を用いてサムネイル画像が表示された頁に対する回転指示を受付けると、該回転指示を当該頁ばかりでなく関連する頁に対しても反映させて効率良く画像の回転補正を行う処理機能を有する。
【００３０】
この画像方向補正処理部１６３による画像方向補正処理機能について、以下に挙げる各実施例を参照して詳しく説明する。
【実施例１】
【００３１】
実施例１に係る画像処理装置１０は、図１に示す機能ブロックにより構成され、図２に示すフローチャートに基づく両面スキャン処理を実施する。
【００３２】
なお、図２に示す両面スキャン処理では、ＤＡＤＦを用いて原稿を両面スキャンする場合を想定している。
【００３３】
原稿の両面スキャンを行うにあたり、利用者（ユーザ）は、読取対象となる原稿をＤＡＤＦの原稿セット位置にセットした上で、表示／操作部１５より所定の両面スキャン開始の指示操作を行う。
【００３４】
一方、画像処理装置１０では、待機中、スキャン開始操作が行われた否かを監視している（ステップＳ１０１）。
【００３５】
ここで、スキャン開始操作が行われた場合（ステップＳ１０１ＹＥＳ）、読取制御部１６２は、読取部１１のＤＡＤＦを駆動してセットされている各原稿を順に表面と裏面とが読取位置を通過するように搬送しながら（ステップＳ１０２）、読取センサ（不図示）を駆動して該原稿の両面の画像をスキャンさせ（ステップＳ１０３）、該スキャンにより得られた両面スキャンデータを記憶部１３の所定領域に蓄積する（ステップＳ１０４）。
【００３６】
上記ステップＳ１０２〜Ｓ１０４の両面スキャン制御をセットされている最後の原稿の両面スキャンが終了するまで継続して実施し、該両面スキャンされた全ての原稿の両面スキャンデータを記憶部１３に蓄積完了すると、画像方向補正処理部１６３が該蓄積された両面スキャンデータを対象に各頁の画像の方向を補正する処理（ステップＳ１０５）を実行する。
【００３７】
画像方向補正処理に移行すると、画像方向補正処理部１６３は、表示／操作部１５の表示パネル上に、例えば、図３に示す如く、蓄積した両面スキャンデータの読み出す頁（画像の向きを確認するために表示する頁）を指定する頁指定ツール５１、該両面スキャンデータの上記頁指定ツール５１を用いて利用者により指定される頁の画像データを読み出してサムネイル画像を生成し、該生成したサムネイル画像を表示する表示ツール５２、サムネイル画像が表示される頁に対し、それぞれ対応する回転角度指示ボタン５３１，５３２を用いて“９０°回転する”、“１８０°回転する”ことを指示する回転指示ツール５３、当該画像方向補正設定を完了することを指示する“完了”ボタン５４を含む画像方向補正設定画面（以下、設定画面）５０ａを表示し、該設定画面５０ａ上で、利用者による回転指示ツール５３を用いたサムネイル画像が表示されている頁に対する画像の回転指示を受け付け、該回転指示を受け付けた頁の番号と指示された回転角度に応じて、両面スキャンデータ中の回転指示対象の当該頁に対応する複数の頁の画像データを一括して当該指定された角度で回転補正する回転補正処理を行う。
【００３８】
なお、当該ステップＳ１０５における画像方向補正処理については、図４を参照して後で詳しく述べる。
【００３９】
上記ステップＳ１０６での画像方向補正処理が終了すると、制御部１６は、利用者が指定した頁の画像の方向が補正された上記両面スキャンデータを両面スキャン結果〔電子データ（ファイル）〕として保持する（ステップＳ１０７）。
【００４０】
その後、該スキャン結果である上記ファイルは、紙文書として印刷したり、利用者がＮＷを経由して自分のＰＣにダウンロードするなどの処理に用いられる。
【００４１】
図４は、図２のステップＳ１０５における画像方向補正処理の詳細処理動作を示すフローチャートである。
【００４２】
図４において、画像方向補正処理部１６３は、まず、表示した設定画面５０ａ（図３参照）上で利用者から受付ける読出し頁の頁番号、当該読出し頁の回転角度を初期化したうえで（ステップＳ２０１）、当該設定画面５０ａでの文書の編集（当該頁に対する画像の回転角度の設定）が完了したか否か（“完了”ボタン５４が押下されたか否か）をチェックする（ステップＳ２０２）。
【００４３】
ここで、文書の編集が完了していないと判定されると（ステップＳ２０２ＮＯ）、利用者により頁指示ツール５１を用いて指示された頁番号〔頁番号の初期値（利用者が最初に指定するまでの値）は、例えば、“１”〕を取得し（ステップＳ２０３）、記憶部１３に蓄積されている両面スキャンデータ中、該指定された頁の画像データを読出し（ステップＳ２０４）、該読み出した画像データから当該頁のサムネイル画像を生成する（ステップＳ２０５）。
【００４４】
そのうえで、該サムネイル画像を処理中の回転角度に応じて回転させ（ステップＳ２０６）、該回転させた後のサムネイル画像を設定画面５０ａの表示ツール５２の表示枠内に表示し（ステップＳ２０７）、この状態で回転角度の指示や編集完了指示等のユーザ操作が行われたか否かを監視する（ステップＳ２０８）。
【００４５】
ここで、ユーザ操作が行われていない間（ステップＳ２０８ＮＯ）は当該監視を続け、この間にユーザ操作が行われた場合（ステップＳ２０８ＹＥＳ）には、そのユーザ操作（入力項目）が、編集完了の指示（“完了”ボタン５４の押下）、頁番号の指定（“頁指示ツール”５１による頁入力）、回転角度指定（“９０°回転指示”ボタン５３１又は“１８０°回転指示”ボタン５３２の選択押下）のいずれであるかをチェックする（ステップＳ２０９）。
【００４６】
ここで、ユーザ操作が回転角度指定であった場合（ステップＳ２０９で“回転角度指定”）、引き続き、指定角度は９０°であるか１８０°であるかをチェックする（ステップＳ２１１）。
【００４７】
そして、指定角度が９０°である場合には（ステップＳ２１１で“９０°”）、記憶部１３に蓄積している両面スキャンデータの全ての頁の画像データの回転角度に当該指定された回転角度９０°を加算し（９０°回転操作し）（ステップＳ２１２）、ステップＳ２０８に移行する。
【００４８】
なお、上記ステップＳ２１２の画像回転操作は、読取った原稿の縦・横方向の補正を想定したものである。
【００４９】
また、指定角度が１８０°である場合には（ステップＳ２１１で“１８０°”）、現在の頁が奇数頁か偶数頁かに応じて、両面スキャンデータの奇数の頁または偶数の頁の画像データの回転角度に当該指定された回転角度１８０°を加算し（１８０°回転操作し）（ステップＳ２１３）、ステップＳ２０８に移行する。
【００５０】
なお、上記ステップＳ２１３の画像回転操作は、長辺綴じの両面原稿を読取った際の表面・裏面の頁方向の補正を想定したものであり、ある頁に対して指定された角度を関連する残りの頁（指定された頁が奇数頁であれば全ての奇数頁、指定された頁が偶数頁であれば全ての偶数頁）にも反映させることで、文書全体の方向の補正を一括で済ませられるようにしている。
【００５１】
また、上記ステップＳ２０８で受付けたユーザ操作が頁番号の指定であった場合（ステップＳ２０９で“頁番号指定”）、処理中の頁番号を当該指定された頁の値に更新する（ステップＳ２１４）。
【００５２】
その後は上述したステップＳ２０３〜Ｓ２０７の処理により、更新された頁番号を取得し（ステップＳ２０３）、両面スキャンデータ中、当該指定された頁の画像データを読出し（ステップＳ２０４）、該読み出した画像データから当該頁のサムネイル画像を生成し（ステップＳ２０５）、該サムネイル画像を処理中の回転角度に応じて回転させ（ステップＳ２０６）、該回転させた後のサムネイル画像を表示ツール５２の表示枠内に表示する（ステップＳ２０７）。
【００５３】
そして、この状態で回転角度の指示や編集完了指示等のユーザ操作が行われたか否かを監視し（ステップＳ２０８）、ユーザ操作として回転角度の指定があれば（ステップＳ２０９で“回転角度指定”）、該指定された回転角度と更新後の頁番号と当該頁が奇数頁か偶数頁であるかに応じて両面スキャンデータの全頁の９０°回転操作、若しくは、全ての偶数頁または全ての奇数頁の１８０°回転操作を実施した後、ステップＳ１０８以降の処理に進む。
【００５４】
上述の如く、利用者が指定した頁のサムネイル画像の向きを確認して該利用者が指定してきた回転角度で当該頁の画像データの回転操作する処理を実行している間に、ユーザ操作として編集完了の指示を受け付けた場合（ステップＳ２０９で“編集完了”）、ステップＳ２０２に移行する。
【００５５】
ステップ２０２に移行して、文書の編集が完了したと判定されると（ステップＳ２０２ＹＥＳ）、それまでに指定された各頁の回転角度に応じて記憶部１３の両面スキャンデータの該当する各頁を回転させて両面スキャン結果データとして再度、保持する。
【００５６】
次に、図４のステップＳ２１２、及びＳ２１３での画像方向補正処理とその処理結果について具体例を挙げてより詳細に説明する。
【００５７】
図５は、具体例１に係る両面スキャンデータ〔図５（ａ）参照〕とその画像方向補正処理結果データ〔図５（ｂ）参照〕の各頁の画像内容を示す概念図である。
【００５８】
図５（ａ）に示す両面スキャンデータは、例えば、２枚の横長原稿を縦長方向にセットして両面スキャンした時に得られるもの（記憶部１３での記憶態様）であり、該両面スキャンデータ中、１頁目と２頁目は１枚目の原稿の片面の画像とその裏面の画像に対応し、３頁目と４頁目は２枚目の原稿の片面の画像とその裏面の画像に対応している。
【００５９】
図５（ａ）の例では、上述した原稿セット方向によって、該原稿の両面スキャンデータ中、１頁目から４頁目までの全ての頁が正立状態から右に９０度回転された状態の画像〔“あ”、“い”、“う”、“え”〕としてスキャンインされている。
【００６０】
本実施例の画像処理装置１０では、図５（ａ）に示す如くの両面スキャンデータが得られると、図４に示す画像方向補正処理中、ステップＳ２０３〜Ｓ２０７において、設定画面５０ａ（図３参照）には、例えば、図６（ａ）に示す如く、表示ツール５２の表示枠内には１頁目の画像“あ”が補正前の画像の向きで表示される。
【００６１】
そして、利用者が図６（ａ）に示す設定画面５０ａ上で表示ツール５２の表示枠内の１頁目の画像“あ”に対して“９０°回転”指示ボタン５３１を選択操作すると回転角度が９０°に指定された画像方向補正指示が発せられ、図４に示す画像方向補正処理中、ステップＳ２１２において、図５（ａ）に示す如くの両面スキャンデータの全頁の画像データに対して該指定された角度（９０°）だけ回転する操作が適用され、その結果、図５（ａ）に示す補正前の両面スキャンデータは、補正後には各頁の画像の向きが正立状態となるように統一された図５（ｂ）に示す如くの両面スキャンデータとして補正される。
【００６２】
これにより、補正前には、１頁目のサムネイル画像“あ”が９０°右向きであった設定画面５０ａは、補正後には、当該頁のサムネイル画像“あ”が９０°向きが回転補正されて正立状態となった図６（ｂ）に示す如くの表示内容に切り換わる。
【００６３】
図６（ｂ）に示す表示内容の設定画面５０ａ上で、頁指定ツール５１で例えば頁「２」を指定すると、１頁目の回転指示により回転補正された両面スキャンデータ〔図５（ｂ）参照〕に基づき、当該設定画面５０ａは表示ツール５２の表示枠内のサムネイル画像が図７に示す如くの表示内容に切り換わる。
【００６４】
これにより、利用者は、１頁目に対する回転補正が２頁目にも適用されていることを確認でき、他の頁についても同様に確認できる。
【００６５】
図８は、具体例２に係る両面スキャンデータ〔図８（ａ）参照〕とその画像方向補正処理結果である画像データ〔図８（ｂ）参照〕の各頁の画像内容を示す概念図である。
【００６６】
図８（ａ）に示す両面スキャンデータは、例えば、長辺綴じの２枚の原稿を両面スキャンした時に得られるもの（記憶部１３での記憶態様）であり、該両面スキャンデータ中、１頁目と２頁目は１枚目の原稿の片面の画像とその裏面の画像に対応し、３頁目と４頁目は２枚目の原稿の片面の画像とその裏面の画像に対応している。
【００６７】
図８（ａ）の例では、上述した長辺綴じ原稿のセット方向によって、該原稿の両面スキャンデータ中、１頁目と３頁目が成立した状態の画像として、２頁目と４頁目が倒立した状態（正立の状態から１８０度回転された状態）の画像としてスキャンインされている。
【００６８】
本実施例の画像処理装置１０で図８（ａ）に示す如くの両面スキャンデータを得られると、図４に示す画像方向補正処理中、ステップＳ２０３〜Ｓ２０７において、設定画面５０ａには、例えば、図９（ａ）に示す如く、表示ツール５２の表示枠内には１頁目の画像“Ａ”が正立状態で表示され、この状態から、頁指定ツール５１で読出し対象頁として「２」頁を指定すると、設定画面５０ａは、図９（ｂ）に示す如く、表示ツール５２の表示枠内に２頁目の画像“Ｂ”が補正前の向きで表示される表示内容に切り換わる。
【００６９】
そして、利用者が図９（ｂ）に示す表示内容の設定画面５０ａ上で、表示ツール５２の表示枠内に倒立状態で表示される２頁目の画像“Ｂ”に対して、“１８０°回転”指示ボタン５３２を選択操作すると回転角度が１８０°に指定された画像方向補正指示が発せられ、図４に示す画像方向補正処理中、ステップＳ２１３において、図８（ａ）に示す如くの両面スキャンデータの偶数頁（２頁目と４頁目）の画像データに対して該指定された角度（１８０°）だけ回転する操作がなされ、その結果、図８（ａ）に示す補正前の両面スキャンデータは、補正後には各頁の画像の向きが全て正立状態となった図８（ｂ）に示す如くの両面スキャンデータとして補正される。
【００７０】
これにより、補正前には、２頁目のサムネイル画像“Ｂ”が転倒していた設定画面５０ａ〔図９（ｂ）参照〕は、補正後には、図１０に示す如く、当該２頁のサムネイル画像“Ｂ”が正立状態に回転補正されて正立状態となった図９（ｂ）に示す如くの表示内容に切り換わる。
【００７１】
これにより、利用者は、２頁目に対する１８０度の回転補正が正しく行われたことを確認でき、同様に、その後、４頁目を読出し指定した際にも当該４頁目の画像“Ｄ”が正立状態に正しく補正されていることを確認できる。
【００７２】
以上の如く、本実施例では、両面スキャンデータの各頁の画像の向きを１頁ずつ確認して、例えば、９０°の回転を指示することにより、当該両面スキャンデータ中の全頁の画像を一括して９０°回転補正できる。
【００７３】
また、画像の向きを確認した頁に対して、例えば、１８０°の回転を指示することにより、当該頁が奇数頁であるならば全ての奇数頁が１８０°回転された向きの画像に補正され、当該頁が偶数頁であるならば全ての偶数頁が１８０°回転された向きの画像に補正された両面スキャンデータを得ることができる。
【実施例２】
【００７４】
実施例２に係る画像処理装置（便宜的に、１０Ｂと呼称）は、図１に示す機能ブロックから構成されるも、画像方向補正処理部１６３としては、実施例１に係る画像処理装置１０（図１参照）とは異なる処理機能を有する画像方向補正処理部（便宜的に１６３ｂと呼称）が搭載される。
【００７５】
すなわち、本実施例に係る画像処理装置１０Ｂにおいて、画像方向補正処理部１６３ｂは、画像方向補正設定用のＵＩとして、実施例１とは異なる、例えば、図１１に示す如くの設定画面５０ｂを用いる。
【００７６】
図１１に示すように、設定画面５０ｂは、例えば、予め設定された２つの頁〔この例では、１頁（偶数頁）目と２頁（偶数頁）目〕のサムネイル画像をそれぞれ表示する（２つの頁の画像は、その後、頁指定ツール５１ｂにより２頁単位に後方向と前方向とにスクロール可能に構成されても良い。また、頁指定ツール５１ｂを設けずに１頁目と２頁目だけを表示する構成としても良い）表示ツール５２ａ，５２ｂが備わり、かつ、該各表示ツール５２ａ，５２ｂにそれぞれに対応して回転角度指示ツール５３ａと５３ｂが設けられる。
【００７７】
回転角度指示ツール５３ａ，５３ｂは、それぞれ、対応する表示ツール５２ａ，５２ｂに表示される頁の画像に対して“９０°回転する”旨の回転指示を行う回転角度指示ツール５３１ａ，５３１ｂと、“１８０°回転する”旨の回転指示を行う回転角度指示ツール５３２ａ，５３２ｂとを備えて構成される。
【００７８】
本実施例の画像処理装置１０Ｂは、実施例１に係る画像処理装置１０と同様、図２に示す如くの両面スキャン処理を実行し、該両面スキャン処理中、ステップＳ１０５においては、上記設定画面５０ｂ（図１１参照）を用いて図１２に示すフローチャートに従った画像方向補正処理を実行する。
【００７９】
図１２において、実施例１の画像処理装置１０における画像方向補正処理（図４参照）の各処理ステップと同様の処理ステップには同一の符号を付している。
【００８０】
図１２に示す画像方向補正処理において、画像方向補正処理部１６３ｂは、まず、実施例１と同様、頁番号、各頁の回転角度を初期化（ステップＳ２０１）した後、文書の編集が完了したか否か（“完了”ボタン５４が押下されたか否か）をチェックする（ステップＳ２０２）。
【００８１】
ここで、文書の編集が完了していないと判定されると（ステップＳ２０２ＮＯ）、画像方向補正処理部１６３ｂは、記憶部１３に記憶されている両面スキャンデータ中、予め設定されている２頁分〔例えば、１頁目と２頁目（偶数頁と奇数頁それぞれ１頁ずつ）〕の画像データを読出し（ステップＳ２０４ｂ）、該読み出した各頁の画像データから当該各頁のサムネイル画像を生成する（ステップＳ２０５ｂ）。
【００８２】
次いで、その生成した各頁のサムネイル画像を処理中の回転角度に応じて回転させ（ステップＳ２０６ｂ）、該回転させた後の１頁目のサムネイル画像を表示ツール５２ａの表示枠（Ｐａｇｅ１表示枠）内に、２頁目のサムネイル画像を表示ツール５２ｂの表示枠（Ｐａｇｅ２表示枠）内にそれぞれ表示させ（ステップＳ２０７ｂ）、この状態で回転角度の指示や編集完了指示等のユーザ操作が行われたか否かを監視する（ステップＳ２０８ｂ）。
【００８３】
ここで、ユーザ操作が行われていない間（ステップＳ２０８ｂＮＯ）は当該監視を続け、この間にユーザ操作が行われた場合（ステップＳ２０８ｂＹＥＳ）には、そのユーザ操作（入力項目）が、編集完了の指示（“完了”ボタン５４の押下）か、設定画面５０ｂ上の１頁目の画像または２頁目の画像に対する回転角度指定（“９０°回転指示”ボタン５３１ａ，５３１ｂ又は“１８０°回転指示”ボタン５３２ａ,５３２ｂの選択押下）のいずれであるかをチェックする（ステップＳ２０９ｂ）。
【００８４】
ここで、ユーザ操作として回転角度指定を受け付けた場合（ステップＳ２０９ｂで“回転角度指定”）、次いで指定角度は９０°であるか１８０°であるかをチェックする（ステップＳ２１１）。
【００８５】
そして、指定角度が９０°である場合には（ステップＳ２１１ｂで“９０°”）、記憶部１３に記憶しておいた両面スキャンデータの全ての頁の画像データの回転角度に指定された回転角度９０°を加算し（９０°回転操作し）（ステップＳ２１２）、ステップＳ２０８ｂに移行する。
【００８６】
また、指定角度が１８０°である場合には（ステップＳ２１１ｂで“１８０°”）、この時の当該角度の指定対象が画像方向補正設定画面５０ｂ上の１頁目（奇数頁）の画像または２頁目（偶数頁）の画像であるかに応じて、両面スキャンデータの奇数の頁または偶数の頁の画像データの回転角度に指定された回転角度１８０°を加算し（１８０°回転操作し）（ステップＳ２１３）、ステップＳ２０８に移行する。
【００８７】
また、上記ステップＳ２０８でユーザ操作が受け付けられた後、ユーザ操作として編集完了の指示を受け付けた場合（ステップＳ２０９ｂで“編集完了”）、ステップＳ２０２に移行する。
【００８８】
ここで、文書の編集が完了したと判定されると（ステップＳ２０２ＹＥＳ）、それまでに指定された各頁の回転角度に応じて記憶部１３の両面スキャンデータを回転させ、スキャン結果のファイルとして再度、保持する。
【００８９】
次に、図１２のステップＳ２１２、及びＳ２１３での画像方向補正処理とその処理結果について、図５及び図８を援用して検証してみる。
【００９０】
本実施例の画像処理装置１０Ｂでは、図５（ａ）に示す如くの両面スキャンデータが得られた場合、図１２に示す画像方向補正処理中、ステップＳ２０４ｂ〜Ｓ２０７ｂを経て、設定画面５０ｂ（図１１参照）には、例えば、図１３に示す如く、Ｐａｇｅ１表示枠（５２ａ）内には１頁目のサムネイル画像が、Ｐａｇｅ２表示枠（５２ｂ）内には２頁目のサムネイル画像が、それぞれ補正前の画像の向きで表示される。
【００９１】
次に、利用者が図１３に示す設定画面５０ｂ上で例えばＰａｇｅ２表示枠内の２頁目の画像（あるいは、Ｐａｇｅ１表示枠内の１頁目の画像）に対して“９０°回転”指示ボタン５３１ｂ（同、５３１ａ）を選択操作すると回転角度が９０°に指定された画像方向補正指示が発せられ、図１２に示す画像方向補正処理中、ステップＳ２１２において、図５（ａ）に示す如くの両面スキャンデータの全頁の画像データに対して該指定された角度（９０°）だけ回転する操作が適用され、その結果、図５（ａ）に示す補正前の両面スキャンデータは、補正後には各頁の画像の向きが正立状態となるように統一された図５（ｂ）に示す如くの両面スキャンデータとして補正される。
【００９２】
これにより、補正前には、Ｐａｇｅ１表示枠内の画像「あ」、Ｐａｇｅ２表示枠内の画像「い」ともに右に９０°回転した状態で表示されていた設定画面５０ｂは、補正後には、Ｐａｇｅ１表示枠内の画像「あ」、Ｐａｇｅ２表示枠内の画像「い」ともに向きが９０°回転補正されて成立した状態となって表示される図１４に示す如くの表示内容に切り換わる。
【００９３】
図１４に示す表示内容の設定画面５０ｂ上で、頁指定ツール５１ｂを例えば頁を進める方向に操作すると、先の（１頁目、２頁目の）回転指示により回転補正された両面スキャンデータ〔図５（ｂ）参照〕に基づき、当該設定画面５０ｂは、Ｐａｇｅ１表示枠内とＰａｇｅ２表示枠内に、それぞれ、例えば、画像「う」、画像「う」が共に回転補正された正立状態で表示される表示内容に切り換わり、これにより、利用者は、先の１頁目及び２頁目の回転補正が他の頁にも適用されていることを確認できる。
【００９４】
また、画像処理装置１０Ｂで図８（ａ）に示す如くの両面スキャンデータが得られた場合、図１２に示す画像方向補正処理中、ステップＳ２０４ｂ〜Ｓ２０７ｂを経て、設定画面５０ｂには、例えば、図１５に示す如く、Ｐａｇｅ１表示枠（５２ａ）内には１頁目のサムネイル画像が、Ｐａｇｅ２表示枠（５２ｂ）内には２頁目のサムネイル画像が、それぞれ補正前の画像の向き〔１頁目は正立状態、２頁目は倒立状態（正立状態から１８０°回転された状態）〕で表示される。
【００９５】
この表示内容の設定画面５０ｂ上で、利用者が、Ｐａｇｅ２表示枠内に倒立状態で表示される２頁目の画像に対して、“１８０°回転”指示ボタン５３２ｂを選択操作すると回転角度が１８０°に指定された画像方向補正指示が発せられ、図１２に示す画像方向補正処理中、ステップＳ２１３において、図８（ａ）に示す如くの両面スキャンデータの偶数頁（２頁目と４頁目）の画像データに対して該指定された角度（１８０°）だけ回転する操作がなされ、その結果、図８（ａ）に示す補正前の両面スキャンデータは、補正後には各頁の画像の向きが全て正立状態に統一された図８（ｂ）に示す如くの両面スキャンデータとして補正される。
【００９６】
これにより、補正前には、Ｐａｇｅ１表示枠内の画像「Ａ」が正立状態で、Ｐａｇｅ２表示枠内の画像「Ｂ」が倒立状態で表示されていた設定画面５０ｂは、補正後には、Ｐａｇｅ２表示枠内の画像「Ｂ」も正立状態で表示される図１６に示す如くの表示内容に切り換わる。
【００９７】
このように、画像処理装置１０Ｂでは、記憶部１３に蓄積した両面スキャンデータから１頁目（奇数頁）と２頁目（偶数頁）の画像データを読み出して設定画面５０ｂ（図１１参照）上の該当表示枠内にそれぞれのサムネイル画像を表示し、該それぞれのサムネイル画像が表示された１頁目または２頁目に対して９０度の回転補正指示を受け付けると、両面スキャンデータの全ての頁の画像の向きを９０度回転し、１頁目（奇数頁）または２頁目（偶数頁）に対する１８０度の回転補正指示を受け付けると、両面スキャンデータの回転補正指示を受付けた頁にそれぞれ対応する頁（すなわち、奇数頁、または偶数頁）の画像の向きをそれぞれ１８０度回転する画像方向補正処理機能を備える。
【００９８】
本実施例の画像方向補正制御によれば、一つの画面上に奇数頁と偶数頁のサムネイル画像を表示し、該サムネイル画像が表示された各頁を対象に回転角度が９０°に指定された回転補正指示、あるいは回転角度が１８０°に指定された回転補正指示を受け付けるため、１つの設定画面５０上（各頁毎に画面を切換えることなく）での回転補正指示操作により両面スキャンデータの画像回転補正を簡単に行うことができる。
【００９９】
この他、本発明は、上記し、且つ図面に示す実施例に限定することなく、その要旨を変更しない範囲内で適宜変形して実施できるものである。
【０１００】
例えば、上記各実施例では、コンピュータで実現され、原稿を両面読取走査して該原稿の両面の画像情報を読み取る画像読取手段を備える画像処理装置１０（１０Ｂ）に画像処理プログラムを実装し、該コンピュータを、画像読取手段により読み取られた原稿の両面読取画像情報の少なくとも１つの頁の縮小画像と、該縮小画像が表示される頁に対する画像の回転を指示する回転指示部とを含む補正設定画面を表示する表示制御手段、表示制御手段により表示される回転指示部を用いた利用者による前記縮小画像が表示されている頁に対する画像の回転指示を受け付け、該回転指示を受け付けた頁の番号と指示された回転角度に応じて、両面読取画像情報中の該頁と当該頁に対応する複数の頁の画像情報を一括して回転補正する回転補正手段等として機能させるようにしているが、該画像処理プログラムをＣＤＲＯＭ等の記憶媒体に格納して提供するようにしても良い。
【産業上の利用可能性】
【０１０１】
本発明は、スキャナ装置や複合機等、両面スキャンデータの所望の頁に対する画像の補正指示を他の頁にも反映させて各頁の画像の向きを補正可能にする画像処理装置、及び画像処理プログラムに適用できる。
【符号の説明】
【０１０２】
１０…画像処理装置、１１…読取部、１２…画像処理部、１３…記憶部、１４…画像形成部、１５…表示／操作部、１６…制御部、１６１…印刷制御部、１６２…読取制御部、１６３…画像方向補正処理部、１７…通信インタフェース（Ｉ／Ｆ）部、５０ａ，５０ｂ…画像方向補正設定画面
【図１】
2011061691.tif 000003
【図２】
2011061691.tif 000004
【図３】
2011061691.tif 000005
【図４】
2011061691.tif 000006
【図５】
2011061691.tif 000007
【図６】
2011061691.tif 000008
【図７】
2011061691.tif 000009
【図８】
2011061691.tif 000010
【図９】
2011061691.tif 000011
【図１０】
2011061691.tif 000012
【図１１】
2011061691.tif 000013
【図１２】
2011061691.tif 000014
【図１３】
2011061691.tif 000015
【図１４】
2011061691.tif 000016
【図１５】
2011061691.tif 000017
【図１６】
2011061691.tif 000018